(57)【特許請求の範囲】
【請求項１】
荷重を検出するロードセルと、
前記ロードセルで検出される荷重に基づいて前記ロードセルの使用状況を示すロードセル情報を生成する制御器と、
前記制御器で生成されるロードセル情報を記憶する情報記憶器と、
前記ロードセルで検出される荷重を表示する表示部を有する表示ユニットへ、前記ロードセルで検出される荷重を送信する送信器とを有し、
前記情報記憶器は、不揮発性メモリにより構成され、
前記制御器は、前記ロードセルで検出される荷重を前記ロードセルの秤量値を所定数で分割した荷重領域毎に区分し、前記ロードセルで検出される荷重の時間変化に基づいて前記ロードセルへ加えられる荷重の変移点を算出し、一の変移点が属する前記荷重領域と、その次の変移点が属する前記荷重領域とが異なる場合に、前記一の変移点とその次の変移点との間の時間を稼働時間として積算し、
前記情報記憶器に記憶されるロードセル情報は、前記稼働時間を含んでいる、ロードセルユニット。
【請求項２】
前記ロードセル近傍の温度を検出する温度センサを有し、
前記制御器は、前記温度センサで検出される温度を所定の温度領域を所定数で分割した温度領域毎に区分し、前記温度領域が所定の温度以上である間の時間を積算した高温稼働時間を算出し、
前記情報記憶器に記憶されるロードセル情報は、前記高温稼働時間を含んでいる、請求項１に記載のロードセルユニット。
【請求項３】
前記制御器は、前記ロードセル情報における値が所定のしきい値を超えた場合に、警告情報を生成し、前記送信器を介して前記表示ユニットへ送信する、請求項１または２に記載のロードセルユニット。
【請求項４】
請求項１から３の何れかに記載のロードセルユニットと、
前記ロードセルユニットの前記送信器から送られた荷重値を受信する受信部及び当該荷重値を表示する表示部を有する表示ユニットとを備えた、計量装置。
【発明の詳細な説明】
【技術分野】
【０００１】
本発明は、荷重を検出するロードセルを有するロードセルユニット及びそれを備えた計量装置に関する。
【背景技術】
【０００２】
ロードセルに加えられた荷重を検出することにより被計量物の重量を計量する計量装置においては、ロードセルに加えられた荷重をロードセルが設けられるロードセルユニット内で電気信号に変換し、当該電気信号を表示部を有する表示ユニットへ送っている。
【０００３】
このような計量装置において、ロードセルは経時変化による劣化やロードセル近傍の温度異常等が生じると、計量精度が保てなくなる問題がある。
【０００４】
上記のような問題に対して、ロードセルユニットの測定重量を表示する指示計ユニットにロードセルユニットの稼働履歴を記憶して計量精度が保てなくなるような危険性を判定する構成が知られている（例えば、特許文献１参照）。
【先行技術文献】
【特許文献】
【０００５】
【特許文献１】特開平８−２１９８５６号公報
【発明の概要】
【発明が解決しようとする課題】
【０００６】
しかし、上記のような構成においては、以下のような問題がある。すなわち、複数のロードセルユニットを有する計量装置（例えば組合せ秤等）に上記構成を適用する場合、表示ユニット（指示計ユニット）で各ロードセルにおける荷重の時間変化等から逐一上記判定を行うと、表示ユニットの制御部の処理能力を超えてしまう、又は、本来の計量に要する処理能力以上に高い処理能力を有する制御部を設ける必要があり高コストとなる。特に、ロードセルへの荷重の負荷状況からロードセルの寿命を高精度に判定するために、ロードセルへ加えれられる荷重の時間変化を逐次記憶していくような場合、単に表示ユニットの記憶容量を増やしただけでは対応できない。
【０００７】
また、ロードセルの交換等により、ロードセルユニットと表示ユニットとを切り離してしまうと、当該ロードセルユニットがどのような使用履歴を有するのかを確認する手段がない。さらに、表示ユニット内に記憶された以前のロードセルの情報がそのまま残っていると、当該情報が新たに接続したロードセルユニットの情報と誤って認識されてしまう問題も生じ得る。
【０００８】
本発明は、以上のような課題を解決すべくなされたものであり、ロードセルユニットと表示ユニットとが切り離されてもロードセルユニットの過去の使用状況を容易且つ高精度に把握することができるロードセルユニット及びそれを備えた計量装置を提供することを目的とする。
【課題を解決するための手段】
【０００９】
本発明に係るロードセルユニットは、荷重を検出するロードセルと、前記ロードセルで検出される荷重に基づいて前記ロードセルの使用状況を示すロードセル情報を生成する制御器と、前記制御器で生成されるロードセル情報を記憶する情報記憶器と、前記ロードセルで検出される荷重を表示する表示部を有する表示ユニットへ、前記ロードセルで検出される荷重を送信する送信器とを有し、前記情報記憶器は、不揮発性メモリにより構成されるものである。
【００１０】
上記構成によれば、ロードセルの使用状況を示すロードセル情報がロードセルユニット内の情報記憶器に記憶されるため、ロードセルユニットを表示ユニットから切り離してもロードセルの過去の使用状況が分からなくなることがない。しかも情報記憶器が不揮発性メモリにより構成されているため、記憶容量の大容量化が容易なだけでなく、書込み回数が実質的に無制限なため、荷重変化をきめ細かく記憶させることができる。従って、ロードセルユニットと表示ユニットとが切り離されてもロードセルユニットの使用状況を容易且つ高精度に把握することができる。
【００１１】
前記制御器は、前記ロードセルで検出される荷重を前記ロードセルの秤量値を所定数で分割した荷重領域毎に区分し、当該荷重領域に基づいて前記ロードセル情報を生成するよう構成されてもよい。これにより、荷重が荷重領域毎に区分されるため、記憶容量及び書き込み回数を低減させることができる。
【００１２】
前記制御器は、前記ロードセルで検出される荷重の時間変化に基づいて前記ロードセルへ加えられる荷重の変移点を算出し、当該変移点間の時間のうち荷重の時間変化が生じている間の時間を積算した稼働時間を算出し、前記情報記憶器に記憶されるロードセル情報は、前記稼働時間を含んでいてもよい。これにより、ロードセルが実際に動作している時間を高精度に算出できるため、ロードセルの異常判定又は寿命判定のための高精度な情報を得ることができる。
【００１３】
前記ロードセル近傍の温度を検出する温度センサを有し、前記制御器は、前記温度センサで検出される温度を所定の温度領域を所定数で分割した温度領域毎に区分し、前記温度領域が所定の温度以上である間の時間を積算した高温稼働時間を算出し、前記情報記憶器に記憶されるロードセル情報は、前記高温稼働時間を含んでいてもよい。これにより、高温下でのロードセルの動作状況を高精度に把握することができるため、ロードセルの異常判定又は寿命判定を行うための高精度な情報を得ることができる。
【００１４】
前記制御器は、前記ロードセル情報における値が所定のしきい値を超えた場合に、警告情報を生成し、前記送信器を介して前記表示ユニットへ送信してもよい。これにより、高精度に得られたロードセル情報の値に基づいてロードセルの異常判定又は寿命判定を行うことができる。一方、表示ユニットでは送られてきた警告情報に基づいて何らかの報知を行うだけでよいため、表示ユニットにおいて記憶容量や制御部の処理能力を別途高める必要がなくなる。
【００１５】
また、本発明に係る計量装置は、上記構成のロードセルユニットと、前記ロードセルユニットの前記送信器から送られた荷重値を受信する受信部及び当該荷重値を表示する表示部を有する表示ユニットとを備えている。
【００１６】
上記構成によれば、ロードセルの使用状況を示すロードセル情報がロードセルユニット内の情報記憶器に記憶されるため、ロードセルユニットを表示ユニットから切り離してもロードセルの使用状況が分からなくなることがない。しかも情報記憶器が不揮発性メモリにより構成されているため、記憶容量の大容量化が容易なだけでなく、書込み回数が実質的に無制限なため、荷重変化をきめ細かく記憶させることができる。従って、ロードセルユニットと表示ユニットとが切り離されてもロードセルユニットの使用状況を容易且つ高精度に把握することができる。一方、表示ユニットではロードセル情報を算出及び記憶する必要がないため、表示ユニットにおいて記憶容量や制御器の処理能力を別途高める必要をなくすることができる。特に、複数のロードセルユニットと１つの表示ユニットとで構成される計量装置においても各ロードセルユニットに対応するロードセル情報が記憶されるため、表示ユニットにおいて記憶容量や制御器の処理能力を別途高める必要をなくすことができる。
【発明の効果】
【００１７】
本発明は以上に説明したように構成され、ロードセルユニットと表示ユニットとが切り離されてもロードセルユニットの使用状況を容易且つ高精度に把握することができるという効果を奏する。
【図面の簡単な説明】
【００１８】
【図１】本発明の一実施形態に係るロードセルユニットが適用された計量装置の概略構成を示すブロック図である。
【図２】ホッパスケールにおけるロードセルの荷重値の時間的変化を示すグラフである。
【図３】コンベヤスケールにおけるロードセルの荷重値の時間的変化を示すグラフである。
【図４】本実施形態の計量装置におけるロードセル近傍の温度の時間的変化を示すグラフである。
【発明を実施するための形態】
【００１９】
以下、本発明の実施の形態を、図面を参照しながら説明する。なお、以下では全ての図を通じて同一又は相当する要素には同一の参照符号を付して、その重複する説明を省略する。
【００２０】
図１は、本発明の一実施形態に係るロードセルユニットが適用された計量装置の概略構成を示すブロック図である。
【００２１】
図１に示されるように、本実施形態の重量検出装置１０は、荷重を検出するロードセル１１を含むロードセルユニット１と、ロードセル１１で検出される荷重を表示する表示部２１を有する表示ユニット２とを含んでいる。ロードセルユニット１には、制御器１２が設けられ、ロードセル１１で検出される荷重値をデジタル化するＡＤ変換器（図示せず）からのデジタル出力に応じて被計量物の荷重値のデジタルデータを、送信器１３を介して表示ユニット２へ送信する。表示ユニット２は、被計量物の荷重値のデジタルデータを受信する受信器２２と、受信器２２が受信したデータに基づいて被計量物の荷重値を表示部２１に表示させる制御器２３とを有している。なお、送信器１３と受信器２２との間は無線通信であっても有線通信であってもよい。
【００２２】
本実施形態におけるロードセルユニット１は、ロードセル１１で検出される荷重に基づいてロードセル１１の使用状況を示すロードセル情報を生成する制御器１２と、制御器１２で生成されるロードセル情報を記憶する情報記憶器１４とをさらに有している。制御器１２には、例えばマイクロコンピュータのＣＰＵが用いられる。また、情報記憶器１４は、不揮発性メモリにより構成されている。制御器１２と情報記憶器１４とは相互に接続されている。また、情報記憶器１４又は他のメモリ（例えばマイクロコンピュータの内部メモリ）には、制御プログラムが格納されている。制御器１２は、格納された制御プログラムを読み出して実行することにより、各種の演算処理や通信制御等を行う。
【００２３】
上記構成によれば、ロードセル１１の使用状況を示すロードセル情報がロードセルユニット１内の情報記憶器１４に記憶されるため、ロードセルユニット１を表示ユニット２から切り離してもロードセル１１の過去の使用状況（使用履歴）が分からなくなることがない。しかも情報記憶器１４が不揮発性メモリにより構成されているため、記憶容量の大容量化が容易なだけでなく、書込み回数が実質的に無制限なため、荷重変化をきめ細かく記憶させることができる。従って、ロードセルユニット１と表示ユニット２とが切り離されてもロードセルユニット１の使用状況を容易且つ高精度に把握することができる。一方、表示ユニット２ではロードセル情報を算出及び記憶する必要がないため、表示ユニット２において記憶容量や制御器２３の処理能力を別途高める必要をなくすることができる。
【００２４】
情報記憶器１４により好適な不揮発性メモリとしては、例えばＦＲＡＭ（登録商標）等の強誘電体メモリ（ＦｅＲＡＭ：Ferroelectric Random Access Memory）が挙げられる。このような強誘電体メモリは、電源を切っても内容が消えない不揮発性メモリであるため、ロードセルユニット１を表示ユニット２から切り離した場合であっても、ロードセルユニット１内のデータが消えないこと、及び、書込可能回数が１０１０回以上であるため、荷重の経時変化等の継続的に書き込まれるデータを長期間書き込むのに適していることから、本実施形態のようなロードセル１１の使用状況を示すロードセル情報を記憶するのに好適に用いられる。
【００２５】
ここで、情報記憶器１４に記憶されるロードセル情報について説明する。まず、情報記憶器１４には、ロードセル情報として電源投入時間が記憶される。電源投入時間は、ロードセルユニット１を含む計量装置１０の電源（表示ユニット２の電源）が供給されている時間を記憶する。具体的には、制御器１２は、計量装置１０の電源が投入された時刻を表示ユニット２から取得するとともに電源が投入されたときから所定のサンプリング間隔毎に電源の投入の継続を検出してこれを計数し、計数値又は計数値から求められる電源投入時間を情報記憶器１４に記憶する。所定のサンプリング間隔毎に電源の投入の継続を検出することにより、ロードセルユニット１において計量装置１０の電源がいつオフするか分からない場合でも電源が投入されている時間を計数することができる。なお、電源がオフされる直前に表示ユニット２から電源オフ信号を送信するよう構成し、ロードセルユニット１においてこれを受信することにより、電源の投入時から電源オフまでの時間を制御器１２で演算して情報記憶器１４に記憶することとしてもよい。制御器１２は、電源投入時間を基準に時間の管理を行う。
【００２６】
また、情報記憶器１４には、ロードセル情報として最低荷重及び最高荷重が記憶される。この場合、制御器１２は、所定のサンプリング間隔毎にロードセル１１の荷重をサンプリングし、それまでの最低荷重の値より低い荷重が検出された際に最低荷重の値を更新し、それまでの最高荷重の値より高い荷重が検出された際に最高荷重の値を更新するように、情報記憶器１４に記憶させる。なお、最低荷重及び最高荷重は、例えば１回の電源投入時間における最低荷重及び最高荷重を記憶してもよいし、所定の期間（例えば１日、１月等）における最低荷重及び最高荷重を記憶してもよい。
【００２７】
また、情報記憶器１４には、ロードセル情報としてロードセル１１が実際に動作している稼働時間が記憶される。このために、制御器１２は、ロードセル１１で検出される荷重の時間変化に基づいてロードセル１１へ加えられる荷重の変移点を算出し、当該変移点間の時間のうち荷重が加えられている間の時間を積算して稼働時間を算出する。
【００２８】
より具体的に説明する。制御器１２は、ロードセル１１で検出される荷重を所定のサンプリング間隔でサンプリングし、サンプリングした荷重値を情報記憶器１４に記憶させる。さらに、制御器１２は、サンプリングした各荷重値からサンプリング間隔毎の荷重変化量（微分値）を算出する。さらに、制御器１２は、算出した荷重変化量からロードセルへ加えられる荷重の変移点を求める。具体的には、制御器１２は、荷重変化量が正から負又は０に変化した時点及び荷重変化量が負から正又は０に変化した時点及び荷重変化量が０から正又は負に変化した時点を変移点として求める。そして、制御器１２は、変移点における荷重値と、変移点間の時間（変化時間）とを情報記憶器１４に記憶させる。
【００２９】
さらに、制御器１２は、変移点間の時間のうちロードセル１１に荷重の時間変化が生じている時間を積算して稼働時間を算出し、当該稼働時間を情報記憶器１４に記憶させる。ロードセル１１に荷重の時間変化が生じている時間は、荷重が加えられていない状態（荷重が加えられていない状態のロードセル１１の出力を開始量として予め記憶しておく）から被計量物が投入されることにより荷重が増加し始めたときの変移点から荷重の増加が収まり安定し始めたときの変移点までの増加時間と、被計量物が排出されることにより荷重が減少し始めたときの変移点から荷重が加えられていない状態へと戻るときの変移点までの減少時間とが加算された時間である。稼働時間は、電源投入時間から安定時間（非計量時及び計量時）を差し引くことによっても算出することができる。
【００３０】
ここで、制御器１２は、ロードセル１１で検出される荷重をロードセル１１の秤量値（最大計量重量）を所定数で分割した荷重領域毎に区分し、当該荷重領域に基づいてロードセル情報を生成するよう構成されている。すなわち、制御器１２は、サンプリングした荷重値がどの荷重領域に含まれるかを判定し、当該荷重値が含まれる荷重領域をサンプリング時刻とともに情報記憶器１４に記憶させる。
【００３１】
以下に、本実施形態の計量装置が組合せ秤のホッパスケールに適用された例について説明する。図２はホッパスケールにおけるロードセルの荷重値の時間的変化を示すグラフである。組合せ秤のホッパスケールにおいては、ホッパ内に被計量物が投入され、その状態でロードセル１１により被計量物及びホッパの荷重が計量された後、ホッパを開放して被計量物が排出される工程が繰り返される。図２に示されるように、ロードセル１１により検出された荷重は、ロードセル１１の秤量値を所定数（図２においては１０）で分割した荷重領域毎に区分される。例えば、ロードセル１１の荷重が秤量値の６０％から７０％の間の値である場合は、荷重領域は（７）となる。なお、ホッパスケールの場合には、ホッパ自身の重量もロードセル１１で計量されるため、被計量物が投入されていない状態でもロードセル１１は０にならない。図２において、被計量物が投入されていない状態では秤量値の４０％であり、荷重領域は（５）となる。なお、外乱等の影響による荷重のわずかな変動である荷重領域を行ったり来たりしないように所定量のヒステリシスを設けることとしてもよい。
【００３２】
図２の例においては、初期状態である荷重領域（５）から被計量物が投入されることにより秤量値の６０％を超えたくらいの荷重がロードセル１１に加えられている。このとき最初の変移点では荷重領域が（５）であったのが、次の変移点では荷重領域が（７）となっている（期間Ａ）。その後、ホッパ内で一定時間被計量物が保持されることによりホッパ内の被計量物が計量される（期間Ｂ）。さらにその後、ホッパから被計量物が排出されると、再び荷重領域が初期状態の荷重領域（５）へと戻る（期間Ｃ）。この後、再び被計量物が投入されるまでの間は初期状態の荷重領域（５）が維持される（期間Ｄ）。そして、次の被計量物が投入されることにより秤量値の７０％以上８０％以下の荷重領域（８）となる荷重がロードセル１１に加えられる（期間Ｅ）。このようにして、制御器１２は、上記のような変化を生じる起点となる変移点と変移点間の時間とを情報記憶器１４に記憶させる。図２に示す例における変移点と変移点間の時間を表にすると以下のようになる。
【００３３】
【表１】
0005468437.tif 000002
上記表において、期間Ａ，Ｃ，Ｅを加算した時間が期間Ａ〜Ｅにおける稼働時間となる。言い換えると、電源投入時間（期間Ａ〜Ｅの全時間）から期間Ｂ，Ｄを差し引いた時間が期間Ａ〜Ｅにおける稼働時間となる。さらに、制御器１２は、上記変移点及び変移点間の時間から計量回数、計量時間、平均計量範囲及び最大計量範囲を算出し、これらの値もロードセル情報として情報記憶器１４に記憶させる。
【００３４】
ここで、計量回数は、計量の１サイクルである期間Ａ〜Ｄを１回として計数した指標である。また、計量時間は、期間Ａ〜Ｃの積算時間を１回の計量における計量時間として算出した指標である。また、平均計量範囲は、どの荷重領域間の荷重変化が多いかを示す指標であり、変化前後の荷重値が属する荷重領域を計数し平均することにより算出される。また、最大計量範囲は、検出された最も大きい荷重領域を示す指標であり、例えば期間Ａ〜Ｅにおいては、荷重領域（８）である。
【００３５】
次に、本実施形態の計量装置がコンベヤスケールに適用された例について説明する。図３はコンベヤスケールにおけるロードセルの荷重値の時間的変化を示すグラフである。コンベヤスケールにおいては、コンベヤにより被計量物を搬送しつつコンベヤ上の被計量物を計量する。基本的な計量方法（サンプリング等）は図２の例と同様である。図３の例においても、ロードセル１１により検出された荷重は、ロードセル１１の秤量値を所定数（図３においては１０）で分割した荷重領域毎に区分される。
【００３６】
図３の例においては、初期状態である荷重領域（３）から被計量物がコンベヤ上に供給されることにより荷重が増加し始め（期間Ａ）、荷重領域（８）に到達する。その後、コンベヤ上を被計量物が搬送されている間、多少の荷重変動（コンベヤの振動等による）はあるが、検出される荷重は基本的に同じ荷重領域（８）内で安定する（期間Ｂ）。その後、コンベヤにより搬送された被計量物がコンベヤの下流側から排出されることにより検出される荷重は初期状態である荷重領域（３）へと戻り（期間Ｃ）、次の被計量物がコンベヤに供給されるまで初期状態である荷重領域（３）内で安定する（期間Ｄ）。次の被計量物がコンベヤに供給されると再び荷重が増加する（期間Ｅ）。以後これが繰り返される。このようにして、制御器１２は、上記のような変化を生じる起点となる変移点と変移点間の時間とを情報記憶器１４に記憶する。図３に示す例における変移点と変移点間の時間を表にすると以下のようになる。
【００３７】
【表２】
0005468437.tif 000003
上記表において、期間Ａ，Ｃ，Ｅを加算した時間が期間Ａ〜Ｅにおける稼働時間となる。言い換えると、電源投入時間（期間Ａ〜Ｅの全時間）から期間Ｂ，Ｄを差し引いた時間が期間Ａ〜Ｅにおける稼働時間となる。ただし、コンベヤスケールにおいては、コンベヤ上を被計量物が搬送されている間の期間Ｂがホッパスケールのような場合に比べて長いこと及びコンベヤの駆動による振動によりロードセル１１には小さい荷重変化が常に生じ得ることから期間Ｂも稼働時間に含めることが好ましい。すなわち、この場合、期間Ａ〜Ｃ及びＥを加算した時間が期間Ａ〜Ｅにおける稼働時間となる。言い換えると、電源投入時間から期間Ｄを差し引いた時間が期間Ａ〜Ｅにおける稼働時間となる。さらに、制御器１２は、上記変移点及び変移点間の時間から図２の例と同様に、計量回数、計量時間、平均計量範囲及び最大計量範囲を算出し、これらの値もロードセル情報として情報記憶器１４に記憶させる。
【００３８】
以上のように、ロードセル情報として稼働時間を記憶することにより、ロードセル１１が実際に動作している時間を高精度に算出できるため、ロードセル１１の異常判定又は寿命判定のための高精度な情報を得ることができる。また、ロードセル情報として情報記憶器１４に記憶される各指標において荷重が荷重領域毎に区分されるため、情報記憶器１４への記憶容量及び書き込み回数を低減させることができる。
【００３９】
また、本実施形態のロードセルユニット１は、図１に示すように、ロードセル１１近傍の温度を検出する温度センサ１５を有している。そして、制御器１２は、温度センサ１５で検出される温度を所定の温度領域を所定数で分割した温度領域毎に区分し、温度領域が所定の温度以上である間の時間を積算した高温稼働時間を算出するよう構成されている。温度センサ１５により検出されたロードセル１１近傍の温度からロードセル１１がどのような温度環境下で使用されているかについての指標である高温稼働時間がロードセル情報として情報記憶器１４に記憶される。
【００４０】
以下に、本実施形態の計量装置における温度変化の例について説明する。図４は本実施形態の計量装置におけるロードセル近傍の温度の時間的変化を示すグラフである。図４に示されるように、温度センサ１５で検出された温度は、−５０℃から１００℃までの温度領域を所定数（図4の例においては３０）で分割した温度領域毎に区分される。なお、図４においては−１０℃から４５℃までの温度領域（８）から（１８）までが示されている。
【００４１】
制御器１２は、ロードセル１１で検出される荷重と同様に、温度センサ１５で検出される温度を所定のサンプリング間隔でサンプリングし、サンプリングした各温度値が温度領域ごとに区分される。サンプリングされた各温度値は、情報記憶器１４に記憶される。そして、制御器１２は、所定の温度領域以上にある時間を積算し、高温稼働時間を算出する。同様に、制御器１２は、所定の温度領域以下にある時間を積算し、低温稼働時間を算出してもよい。これにより、高温下及び低温下でのロードセル１１の動作状況を高精度に把握することができるため、ロードセル１１の異常判定又は寿命判定を行うための高精度な情報を得ることができる。
【００４２】
さらに、制御器１２は、サンプリングした各温度値からサンプリング間隔毎の温度変化量（微分値）を算出する。さらに、制御器１２は、算出した温度変化量から温度変化の変移点を求める。そして、制御器１２は、変移点における温度が属する温度領域と、変移点間の時間（変化時間）とを情報記憶器１４に記憶させる。図４に示す例における変移点と変移点間の時間を表にすると以下のようになる。
【００４３】
【表３】
0005468437.tif 000004
さらに、制御器１２は、上記変移点及び変移点間の時間から最高温度、最低温度、最高温度領域の時間、最低温度領域の時間、最高温度領域に至る時間及び最低温度領域に至る時間を算出し、これらの値もロードセル情報として情報記憶器１４に記憶させる。
【００４４】
ここで、最高温度及び最低温度は、検出された温度値のうち最も高い又は最も低い温度領域を示す指標であり、例えば期間Ａ〜Ｅにおいては最高温度は温度領域（１５）、最低温度は温度領域（１２）である。また、最高温度領域の時間及び最低温度領域の時間は、最高温度及び最低温度であるときの積算時間を示す指標であり、例えば期間Ａ〜Ｅにおいて、最高温度領域の時間は期間Ｂの１時間であり、最低温度領域の時間は期間Ｄの３時間である。また、最高温度領域に至る時間及び最低温度領域に至る時間は、最高温度領域及び最低温度領域に達するまでの温度変化にかかった時間を示す指標であり、例えば期間Ａ〜Ｅにおいて最高温度領域に至る時間は、期間Ａの１０時間であり、最低温度領域に至る時間は、期間Ｃの９時間である。
【００４５】
なお、情報記憶器１４には、ロードセル１１の生産年月日や出荷年月日等も記憶可能である。以上に説明したようなロードセル情報は、記憶容量の低減を図るべく、例えば、期間毎に適宜圧縮して記憶することとしてもよい。例えば最近の１月分のデータは日毎のデータをそのまま記憶し、最近の１年分のデータは週毎のデータに圧縮して記憶し、２年以上前のデータは月毎のデータに圧縮して記憶することとしてもよい。
【００４６】
また、情報記憶器１４に記憶されたロードセル情報は、表示ユニット２又は別途接続されたコンピュータ端末等を介して表示又はデータの転送などを行うことができるように構成される。
【００４７】
以上に説明したようなロードセル１１に関するあらゆる情報をロードセル情報として情報記憶器１４に記憶しておくことにより、ロードセル１１の過去の使用状況の把握をより詳細且つより容易に行うことができる。
【００４８】
詳しくは、制御器１２は、ロードセル情報における値が所定のしきい値を超えた場合に、警告情報を生成し、送信器１３を介して表示ユニット２へ送信されるよう構成される。これにより、高精度に得られたロードセル情報の値に基づいてロードセル１１の異常判定又は寿命判定を行うことができる。例えば、ロードセル１１の稼働時間が所定時間を超えた場合に、当該ロードセル１１の寿命がなくなったと判定したり、ロードセル１１の計量回数が所定回数を超えた場合に、当該ロードセル１１の寿命がなくなったと判定する。また、平均計量範囲等から別途寿命判定に用いる指標を演算してもよい。さらに、平均計量範囲の値が所定の範囲を超えた場合（過負荷で頻繁に使用されている場合）、高温稼働時間が所定時間を超えた場合（高温下で連続して使用されている場合）又は最高温度が所定の温度領域を超えた場合に、ロードセルユニット１が異常であると判定してもよい。
【００４９】
一方、表示ユニット２では送られてきた警告情報に基づいて何らかの報知を行うだけでよいため、表示ユニット２において記憶容量や制御器２３の処理能力を別途高める必要がなくなる。
【００５０】
なお、表示ユニット２ではロードセルユニット１から送られてきた警告情報に基づいて別途計量装置を構成するインバータモータ、コンベヤ、ファン、潤滑油等の消耗品の交換時期を示す消耗品交換情報又はロードセル１１、温度センサ１５又はＡＤ変換器等の故障を示す故障情報等を生成し、表示部２１において表示したり、別のコンピュータ（例えばホストコンピュータ等）に当該情報を送ったりしてもよい。
【００５１】
以上、本発明の実施形態について説明したが、本発明は上記実施形態に限定されるものではなく、その趣旨を逸脱しない範囲内で種々の改良、変更、修正が可能である。例えば、上記実施形態において列記したロードセル情報を情報記憶器１４にすべて記憶してもよいし、そのうちの何れか１つ又は複数だけ記憶してもよい。また、ロードセル１１近傍の温度に基づいたロードセル情報を情報記憶器１４に記憶しない構成においては、温度センサ１５を有しない構成としてもよい。
【産業上の利用可能性】
【００５２】
本発明のロードセルユニット及び計量装置は、ロードセルユニットと表示ユニットとが切り離されてもロードセルユニットの使用状況を容易且つ高精度に把握するために有用である。
【符号の説明】
【００５３】
１    ロードセルユニット
２    表示ユニット
１０  計量装置
１１  ロードセル
１２  ロードセルユニットの制御器
１３  送信器
１４  情報記憶器
１５  温度センサ
２１  表示部
２２  受信器
２３  表示ユニットの制御器
【図１】
0005468437.tif 000005
【図２】
0005468437.tif 000006
【図３】
0005468437.tif 000007
【図４】
0005468437.tif 000008